(57)【要約】【課題】機器の動作レベルの制御に対する操作性が高められた制御スイッチを提供する。【解決手段】本開示の一態様に係る制御スイッチは、機器の動作のレベルを、第１〜第３動作レベルを含む複数の動作レベルの間で制御するための制御スイッチであって、各々が対象物を感知する、第１〜第３センサを含む複数のセンサであり、第１〜第３センサの順に互いに間隔を空けて一方向に沿って配置され、第１〜第３動作レベルに対応する第１〜第３レベル値が第１〜第３センサの各々に対して割り当てられ、第１〜第３レベル値は、この順に増加又は減少する値である、複数のセンサと、第１〜第３センサを用いて一方向に沿った対象物の移動速度を取得する取得回路と、移動速度に基づいて第１〜第３レベル値のうち少なくとも２つの値を変更する変更回路と、第１〜第３センサのうち対象物を感知したセンサのレベル値に対応する動作レベルで機器を動作させる制御回路とを備える。【選択図】図２
2017135103.tif 000002
【特許請求の範囲】
【請求項１】
機器の動作のレベルを、第１、第２及び第３動作レベルを含む複数の動作レベルの間で制御するための制御スイッチであって、
各々が対象物を感知する、第１、第２及び第３センサを含む複数のセンサであって、
前記第１センサ、前記第２センサ、前記第３センサの順に、互いに間隔を空けて一方向に沿って配置され、
前記第１センサ、前記第２センサ、及び前記第３センサに対して、各々が前記複数の動作レベルのいずれかに対応する複数のレベル値のうち、前記第１動作レベルに対応する第１レベル値、前記第２動作レベルに対応する第２レベル値及び前記第３動作レベルに対応する第３レベル値がそれぞれ割り当てられ、
前記第１レベル値、前記第２レベル値及び前記第３レベル値は、前記第１レベル値、前記第２レベル値及び前記第３レベル値の順に増加又は減少する値である、複数のセンサと、
前記第１、前記第２及び前記第３センサを用いて、前記一方向に沿った前記対象物の移動速度を取得する取得回路と、
前記移動速度に基づいて、前記第１レベル値、前記第２レベル値及び前記第３レベル値のうち少なくとも２つの値を変更する変更回路と、
前記第１、前記第２及び前記第３センサのうち前記対象物を感知したセンサに割り当てられたレベル値に対応する動作レベルで前記機器を動作させる制御回路とを備え、
前記変更回路は、
（ｉ）前記移動速度が第１速度より遅い場合、前記第１レベル値と前記第２レベル値との間隔である第１レベル間隔、及び前記第２レベル値と前記第３レベル値との間隔である第２レベル間隔がいずれも小さくなるように、前記第１レベル値、前記第２レベル値及び前記第３レベル値のうち少なくとも２つの値を変更し、
（ｉｉ）前記移動速度が前記第１速度より速い第２速度より速い場合、前記第１レベル間隔、及び前記第２レベル間隔がいずれも大きくなるように、前記第１レベル値、前記第２レベル値及び前記第３レベル値のうち少なくとも２つの値を変更し、
（ｉｉｉ）前記移動速度が前記第１速度以上前記第２速度以下の場合、前記第１レベル値、前記第２レベル値及び前記第３レベル値を変更しない、
制御スイッチ。
【請求項２】
前記変更回路は、さらに、前記機器の前記動作の前記レベルが、所定期間以上継続して、前記複数の動作レベルのうち１つの動作レベルである場合、前記複数のセンサのうち前記対象物を感知した前記センサに、前記複数のレベル値のうち、前記１つの動作レベルに対応するレベル値を割り当てる、
請求項１に記載の制御スイッチ。
【請求項３】
前記制御回路は、前記複数のセンサのうち２つのセンサが同時に前記対象物を感知した場合、前記複数のレベル値のうち、前記２つのセンサに割り当てられた２つのレベル値の平均値に応じて前記機器を動作させる、
請求項１または２に記載の制御スイッチ。
【請求項４】
前記取得回路は、前記第１センサが前記対象物を感知してから、前記第２センサが前記対象物を感知するまでに要した時間と、前記第１センサから前記第２センサまでの距離とを用いて、前記移動速度を算出する、
請求項１から３のいずれか１項に記載の制御スイッチ。
【請求項５】
前記第１、前記第２及び前記第３センサは等間隔に配置され、かつ、前記第１レベル間隔と前記第２レベル間隔とが等しい、
請求項１から４のいずれか１項に記載の制御スイッチ。
【請求項６】
前記第１、前記第２及び前記第３センサは、直線状に配置されている、
請求項１から５のいずれか１項に記載の制御スイッチ。
【請求項７】
前記複数のセンサの各々は、前記対象物と前記複数のセンサの各々との間に生じる静電容量の変化を検出する電極を含む、
請求項１から６のいずれか１項に記載の制御スイッチ。
【請求項８】
前記複数のセンサの各々は、前記対象物が反射または放射する赤外線を受け取る受光部を含む、
請求項１から６のいずれか１項に記載の制御スイッチ。
【発明の詳細な説明】
【技術分野】
【０００１】
本開示は、制御スイッチに関する。
【背景技術】
【０００２】
従来、複数のタッチセンサを備える照明装置が知られている（例えば、特許文献１参照）。特許文献１に記載の照明装置では、複数のタッチセンサの各々に光出力が割り当てられている。この照明装置は、タッチ入力を検出したタッチセンサに割り当てられた光出力で点灯する。
【先行技術文献】
【特許文献】
【０００３】
【特許文献１】特開２０１４−１８６９３１号公報
【発明の概要】
【発明が解決しようとする課題】
【０００４】
上記従来の照明装置では、光出力の微調整を行うことが難しい。また、動作レベルを大きく変更する場合には操作量が大きくなる。このように、上記従来の照明装置には操作性が悪いという問題がある。
【０００５】
そこで、本開示は、機器の動作レベルの制御に対する操作性が高められた制御スイッチを提供する。
【課題を解決するための手段】
【０００６】
本開示の一態様に係る制御スイッチは、機器の動作のレベルを、第１、第２及び第３動作レベルを含む複数の動作レベルの間で制御するための制御スイッチであって、
各々が対象物を感知する、第１、第２及び第３センサを含む複数のセンサであって、
前記第１センサ、前記第２センサ、前記第３センサの順に、互いに間隔を空けて一方向に沿って配置され、
前記第１センサ、前記第２センサ、及び前記第３センサに対して、各々が前記複数の動作レベルのいずれかに対応する複数のレベル値のうち、前記第１動作レベルに対応する第１レベル値、前記第２動作レベルに対応する第２レベル値及び前記第３動作レベルに対応する第３レベル値がそれぞれ割り当てられ、
前記第１レベル値、前記第２レベル値及び前記第３レベル値は、前記第１レベル値、前記第２レベル値及び前記第３レベル値の順に増加又は減少する値である、複数のセンサと、
前記第１、前記第２及び前記第３センサを用いて、前記一方向に沿った前記対象物の移動速度を取得する取得回路と、
前記移動速度に基づいて、前記第１レベル値、前記第２レベル値及び前記第３レベル値のうち少なくとも２つの値を変更する変更回路と、
前記第１、前記第２及び前記第３センサのうち前記対象物を感知したセンサに割り当てられたレベル値に対応する動作レベルで前記機器を動作させる制御回路とを備える。
【０００７】
前記変更回路は、
（ｉ）前記移動速度が第１速度より遅い場合、前記第１レベル値と前記第２レベル値との間隔である第１レベル間隔、及び前記第２レベル値と前記第３レベル値との間隔である第２レベル間隔がいずれも小さくなるように、前記第１レベル値、前記第２レベル値及び前記第３レベル値のうち少なくとも２つの値を変更し、
（ｉｉ）前記移動速度が前記第１速度より速い第２速度より速い場合、前記第１レベル間隔、及び前記第２レベル間隔がいずれも大きくなるように、前記第１レベル値、前記第２レベル値及び前記第３レベル値のうち少なくとも２つの値を変更し、
（ｉｉｉ）前記移動速度が前記第１速度以上前記第２速度以下の場合、前記第１レベル値、前記第２レベル値及び前記第３レベル値を変更しない。
【発明の効果】
【０００８】
本開示によれば、機器の動作レベルの制御に対する操作性が高められた制御スイッチを提供することができる。
【図面の簡単な説明】
【０００９】
【図１】実施の形態１に係る制御スイッチが制御する機器を示す概観斜視図である。
【図２】実施の形態１に係る制御スイッチの構成を示す図である。
【図３】実施の形態１に係る制御スイッチの複数のセンサに割り当てられたレベル値の一例を示す図である。
【図４】実施の形態１に係る制御スイッチにおいて、対象物の移動速度の取得方法を示す図である。
【図５】実施の形態１に係る制御スイッチの動作を示すフローチャートである。
【図６Ａ】実施の形態１に係る制御スイッチにおいて、対象物の移動速度が遅い場合の複数のセンサに割り当てられる複数のレベル値の一例を示す図である。
【図６Ｂ】実施の形態１に係る制御スイッチにおいて、対象物の移動速度が速い場合の複数のセンサに割り当てられる複数のレベル値の一例を示す図である。
【図６Ｃ】実施の形態１に係る制御スイッチにおいて、対象物の移動速度が通常である場合の複数のセンサに割り当てられる複数のレベル値の一例を示す図である。
【図７】実施の形態２に係る制御スイッチの動作を示すフローチャートである。
【図８Ａ】実施の形態２に係る制御スイッチにおいて、対象物の動きに応じて変更される複数のレベル値の一例を示す図である。
【図８Ｂ】実施の形態２に係る制御スイッチにおいて、対象物の動きに応じて変更される複数のレベル値の一例を示す図である。
【図８Ｃ】実施の形態２に係る制御スイッチにおいて、対象物の動きに応じて変更される複数のレベル値の一例を示す図である。
【図８Ｄ】実施の形態２に係る制御スイッチにおいて、対象物の動きに応じて変更される複数のレベル値の一例を示す図である。
【図９】変形例に係る制御スイッチの複数のセンサが同時に対象物をセンシングする様子を示す図である。
【発明を実施するための形態】
【００１０】
（本開示の概要）
本開示の一態様に係る制御スイッチは、機器の動作のレベルを、第１、第２及び第３動作レベルを含む複数の動作レベルの間で制御するための制御スイッチであって、
各々が対象物を感知する、第１、第２及び第３センサを含む複数のセンサであって、
前記第１センサ、前記第２センサ、前記第３センサの順に、互いに間隔を空けて一方向に沿って配置され、
前記第１センサ、前記第２センサ、及び前記第３センサに対して、各々が前記複数の動作レベルのいずれかに対応する複数のレベル値のうち、前記第１動作レベルに対応する第１レベル値、前記第２動作レベルに対応する第２レベル値及び前記第３動作レベルに対応する第３レベル値がそれぞれ割り当てられ、
前記第１レベル値、前記第２レベル値及び前記第３レベル値は、前記第１レベル値、前記第２レベル値及び前記第３レベル値の順に増加又は減少する値である、複数のセンサと、
前記第１、前記第２及び前記第３センサを用いて、前記一方向に沿った前記対象物の移動速度を取得する取得回路と、
前記移動速度に基づいて、前記第１レベル値、前記第２レベル値及び前記第３レベル値のうち少なくとも２つの値を変更する変更回路と、
前記第１、前記第２及び前記第３センサのうち前記対象物を感知したセンサに割り当てられたレベル値に対応する動作レベルで前記機器を動作させる制御回路とを備える。
【００１１】
前記変更回路は、
（ｉ）前記移動速度が第１速度より遅い場合、前記第１レベル値と前記第２レベル値との間隔である第１レベル間隔、及び前記第２レベル値と前記第３レベル値との間隔である第２レベル間隔がいずれも小さくなるように、前記第１レベル値、前記第２レベル値及び前記第３レベル値のうち少なくとも２つの値を変更し、
（ｉｉ）前記移動速度が前記第１速度より速い第２速度より速い場合、前記第１レベル間隔、及び前記第２レベル間隔がいずれも大きくなるように、前記第１レベル値、前記第２レベル値及び前記第３レベル値のうち少なくとも２つの値を変更し、
（ｉｉｉ）前記移動速度が前記第１速度以上前記第２速度以下の場合、前記第１レベル値、前記第２レベル値及び前記第３レベル値を変更しない。
【００１２】
本開示の一態様に係る制御スイッチにおいて、前記変更回路は、演算回路と、プログラムを記憶するメモリとを含み、前記プログラムが前記演算回路により実行されるときに、前記プログラムは、前記変更回路に、
（ｉ）前記移動速度が第１速度より遅い場合、前記第１レベル値と前記第２レベル値との間隔である第１レベル間隔、及び前記第２レベル値と前記第３レベル値との間隔である第２レベル間隔がいずれも小さくなるように、前記第１レベル値、前記第２レベル値及び前記第３レベル値のうち少なくとも２つの値を変更させ、
（ｉｉ）前記移動速度が前記第１速度より速い第２速度より速い場合、前記第１レベル間隔、及び前記第２レベル間隔がいずれも大きくなるように、前記第１レベル値、前記第２レベル値及び前記第３レベル値のうち少なくとも２つの値を変更させてもよい。
【００１３】
割り当てられたレベル値が固定されている場合には、微調整が困難である。また、例えば、照明装置を消灯から全点灯させる場合など、機器の動作レベルの調整量が大きい場合には、例えば、複数のタッチセンサの一端から他端まで手をスライドさせる必要がある。つまり、手を動かす距離が長くなるので、制御スイッチの操作性が悪くなる。
【００１４】
本開示の一態様に係る制御スイッチでは、複数のセンサに割り当てられたレベル値が変更されるので、機器の動作レベルの制御に対する操作性を高めることができる。例えば、多くのセンサに対して、微調整が望まれる動作範囲に多くのレベル値を割り当てることで、動作レベルの制御を精度良く行うことができる。あるいは、少数のセンサに対して、所定の動作範囲に少数のレベル値を割り当てることで、少ない操作量で動作レベルを大きく変更することができる。このように、本開示の一態様に係る制御スイッチによれば、機器の動作レベルの制御に対する操作性を高めることができる。
【００１５】
また、本開示の一態様に係る制御スイッチにおいて、前記第１センサに割り当てられた前記第１レベル値、前記第２センサに割り当てられた前記第２レベル値、及び前記第３センサに割り当てられた前記第３レベル値は、前記第１レベル値、前記第２レベル値及び前記第３レベル値の順に増加又は減少する値である。
【００１６】
これにより、制御スイッチを操作する手などの対象物を複数のセンサの並び方向に沿ってスライドさせることで、動作レベルを大きく又は小さくすることができる。対象物の移動距離及び移動方向によって、動作レベルの大小を制御することができる。
【００１７】
また、本開示の一態様に係る制御スイッチにおいて、前記変更回路は、前記移動速度が第１速度より遅い場合、前記第１レベル値と前記第２レベル値との間隔である第１レベル間隔、及び前記第２レベル値と前記第３レベル値との間隔である第２レベル間隔がいずれも小さくなるように、前記第１レベル値、前記第２レベル値及び前記第３レベル値のうち少なくとも２つの値を変更する。
【００１８】
これにより、複数のセンサのレベル間隔が初期値よりも小さくなるので、機器の動作レベルの微調整を行いやすくすることができる。一般的には、手などの対象物をゆっくりと動かすことで微調整を行おうとする場合が多い。このため、対象物の移動速度が遅い場合にレベル間隔が小さく変更されることで、微調整を行いやすくなり、ユーザによる操作性を高めることができる。
【００１９】
また、本開示の一態様に係る制御スイッチにおいて、前記変更回路は、前記移動速度が前記第１速度より速い第２速度より速い場合、前記第１レベル間隔、及び前記第２レベル間隔がいずれも大きくなるように、前記第１レベル値、前記第２レベル値及び前記第３レベル値のうち少なくとも２つの値を変更する。
【００２０】
これにより、複数のセンサのレベル間隔が初期値よりも大きくなるので、少ない操作量で機器の動作レベルを大きく変更することができる。一般的には、手などの対象物を速く動かすことで大きな調整を行おうとする場合が多い。このため、対象物の移動速度が速い場合にレベル間隔が大きく変更されることで、対象物を少し動かすだけで動作レベルを大きく変更することができるので、ユーザによる操作性を高めることができる。
【００２１】
また、本開示の一態様に係る制御スイッチにおいて、前記変更回路は、前記移動速度が前記第１速度以上前記第２速度以下の場合、前記第１レベル値、前記第２レベル値及び前記第３レベル値を変更しない。
【００２２】
これにより、ユーザによる操作性をより高めることができる。
【００２３】
また、本開示の一態様に係る制御スイッチにおいて、前記変更回路は、さらに、前記機器の前記動作の前記レベルが、所定期間以上継続して、前記複数の動作レベルのうち１つの動作レベルである場合、前記複数のセンサのうち前記対象物を感知した前記センサに、前記複数のレベル値のうち、前記１つの動作レベルに対応するレベル値を割り当ててもよい。
【００２４】
従来の照明装置のように、割り当てられたレベル値が固定されている場合には、動作レベルが突発的に大きく変化する恐れがある。例えば、照明装置が全点灯中であるときに、レベル値「０」が割り当てられたセンサが対象物をセンシングした場合、照明装置は一旦消灯してしまう。
【００２５】
本開示の一態様に係る制御スイッチでは、センサが対象物をセンシングした場合に、機器の動作レベルが、所定期間以上継続して同じ動作レベルであるときは、現状の動作レベルに応じたレベル値が当該センサに割り当てられる。このため、動作レベルが突発的に大きく変化することを抑制することができる。したがって、例えば操作再開時などに、動作レベルが意図せずに変化してしまうことを抑制することができる。
【００２６】
また、本開示の一態様に係る制御スイッチにおいて、前記制御回路は、前記複数のセンサのうち２つのセンサが同時に前記対象物を感知した場合、前記複数のレベル値のうち、前記２つのセンサに割り当てられた２つのレベル値の平均値に応じて前記機器を動作させてもよい。
【００２７】
これにより、センサの個数を抑制しつつ、より高い精度で機器の動作レベルを調整することができる。センサの個数が抑制されるので、制御スイッチの小型化、軽量化及び低コスト化を実現することができる。
【００２８】
また、本開示の一態様に係る制御スイッチにおいて、前記取得回路は、前記第１センサが前記対象物を感知してから、前記第２センサが前記対象物を感知するまでに要した時間と、前記第１センサから前記第２センサまでの距離とを用いて、前記移動速度を算出してもよい。
【００２９】
これにより、移動速度を取得するための専用の部材を必要としないので、制御スイッチの小型化、軽量化及び低コスト化を実現することができる。
【００３０】
また、本開示の一態様に係る制御スイッチにおいて、前記第１、前記第２及び前記第３センサは等間隔に配置され、かつ、前記第１レベル間隔と前記第２レベル間隔とが等しくてもよい。
【００３１】
これにより、レベル値とセンサとの対応関係をユーザが理解しやすくなるので、ユーザによる操作性を高めることができる。
【００３２】
また、本開示の一態様に係る制御スイッチにおいて、前記第１、前記第２及び前記第３センサは、直線状に配置されていてもよい。
【００３３】
これにより、直線方向に沿って対象物をスライドさせればよいので、操作が簡単になり、操作性を高めることができる。
【００３４】
また、本開示の一態様に係る制御スイッチにおいて、前記複数のセンサの各々は、前記対象物と前記複数のセンサの各々との間に生じる静電容量の変化を検出する電極を含んでいてもよい。
【００３５】
また、本開示の一態様に係る制御スイッチにおいて、前記複数のセンサの各々は、前記対象物が反射又は放射する赤外線を受け取る受光部を含んでいてもよい。
【００３６】
例えば、接触操作では、制御スイッチに直接触れることで手の位置が安定するため、微調整がしやすく、意図しない操作による誤動作なども発生しにくい。一方で、非接触操作では、手が制御スイッチに対して浮いた状態であるので、その位置が安定しにくい。そのため、手又は体の揺れなどによって、意図せずに隣のセンサのセンシング範囲に手が入ってしまうことがある。
【００３７】
本開示の一態様に係る制御スイッチによれば、例えば手の移動速度が遅い場合に複数のセンサのレベル間隔が小さくなるので、意図せず隣のセンサのセンシング範囲に手が入ったとしても、動作レベルの変化量は抑制される。したがって、動作レベルが変化してしまったとしても、レベル間隔が小さくなっているので再調整も容易であり、操作性が高められる。
【００３８】
本開示において、回路、ユニット、装置、部材又は部の全部又は一部、又はブロック図の機能ブロックの全部又は一部は、半導体装置、半導体集積回路（ＩＣ）、又はＬＳＩを含む一つ又は複数の電子回路によって実行されてもよい。ＬＳＩ又はＩＣは、一つのチップに集積されてもよいし、複数のチップを組み合わせて構成されてもよい。例えば、記憶素子以外の機能ブロックは、一つのチップに集積されてもよい。ここでは、ＬＳＩやＩＣと呼んでいるが、集積の度合いによって呼び方が変わり、システムＬＳＩ、ＶＬＳＩ、若しくはＵＬＳＩと呼ばれるものであってもよい。  ＬＳＩの製造後にプログラムされる、Ｆｉｅｌｄ  Ｐｒｏｇｒａｍｍａｂｌｅ  Ｇａｔｅ  Ａｒｒａｙ  （ＦＰＧＡ）、又はＬＳＩ内部の接合関係の再構成又はＬＳＩ内部の回路区画のセットアップができるｒｅｃｏｎｆｉｇｕｒａｂｌｅ  ｌｏｇｉｃ  ｄｅｖｉｃｅも同じ目的で使うことができる。
【００３９】
さらに、回路、ユニット、装置、部材又は部の全部又は一部の機能又は操作は、ソフトウエア処理によって実行することが可能である。この場合、ソフトウエアは一つ又は複数のＲＯＭ、光学ディスク、ハードディスクドライブなどの非一時的記録媒体に記録され、ソフトウエアが処理装置によって実行されたときに、そのソフトウエアで特定された機能が処理装置および周辺装置によって実行される。システム又は装置は、ソフトウエアが記録されている一つ又は複数の非一時的記録媒体、処理装置、及び必要とされるハードウエアデバイス、例えばインターフェース、を備えていても良い。
【００４０】
以下では、実施の形態について、図面を参照しながら具体的に説明する。
【００４１】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００４２】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００４３】
（実施の形態１）
［１．構成］
まず、実施の形態１に係る制御スイッチの構成について、図１及び図２を用いて説明する。図１は、本実施の形態に係る制御スイッチ１が制御する機器３を示す概観斜視図である。図２は、本実施の形態に係る制御スイッチ１の構成を示す図である。
【００４４】
制御スイッチ１は、例えば、明るさ、調色比又は音量などのレベルを調整するためのレベル調整用の制御スイッチである。制御スイッチ１は、機器３の動作レベルを制御する。具体的には、制御スイッチ１は、複数のセンサ１０による対象物２のセンシング結果に基づいて、機器３の動作レベルを制御する。例えば、制御スイッチ１は、複数のセンサ１０によって対象物２のスライドを検知し、検知したスライドの方向などに応じて照明装置を明るく又は暗く調整する。
【００４５】
図１に示すように、対象物２は、例えば、ユーザの手などである。対象物２は、手に限らず、指、足、頭など人体の他の一部でもよく、あるいは、タッチペンなどの物体でもよい。
【００４６】
機器３は、動作レベルが調整可能な所定の動作を行う機器である。例えば、機器３は、図１に示すように、調光又は調色機能を有する照明装置である。図１では、一例としてデスクスタンドを示している。図１に示すように、機器３は、光源４と、支持部５とを備える。
【００４７】
光源４は、ＬＥＤ（Ｌｉｇｈｔ  Ｅｍｉｔｔｉｎｇ  Ｄｉｏｄｅ）などの発光素子を備える光源モジュールである。光源４は、ＬＥＤの代わりに、有機ＥＬ（Ｅｌｅｃｔｒｏ  Ｌｕｍｉｎｅｓｃｅｎｃｅ）素子又はレーザ素子などを備えてもよい。
【００４８】
支持部５は、光源４を支える支持部であり、機器３の外郭筐体を構成する。支持部５は、樹脂材料又は金属材料などから形成される。
【００４９】
なお、機器３は、オーディオ機器又は空調機器などの各種エレクトロニクス機器でもよい。機器３は、制御スイッチ１によって制御された動作レベル、例えば、明るさ、音量、温度などで動作する。
【００５０】
本実施の形態では、制御スイッチ１は、機器３に設けられる。すなわち、制御スイッチ１と機器３とは、一体に構成されている。具体的には、図１に示すように、制御スイッチ１は、支持部５の内部に配置される。支持部５には、開口が設けられ、制御スイッチ１は、当該開口を介して制御スイッチ１の複数のセンサ１０が露出するように支持部５の内部に配置されている。なお、開口には、センサ１０を保護するためのカバーが設けられていてもよい。
【００５１】
なお、制御スイッチ１は、例えば、機器３を操作するリモコン装置（図示せず）に設けられてもよい。すなわち、制御スイッチ１と機器３とは、無線又は有線で通信してもよい。
【００５２】
図２に示すように、制御スイッチ１は、複数のセンサ１０と、基台２０と、取得回路３０と、変更回路４０と、制御回路５０とを備える。取得回路３０、変更回路４０及び制御回路５０は、システムＬＳＩ（Ｌａｒｇｅ  Ｓｃａｌｅ  Ｉｎｔｅｇｒａｔｉｏｎ）又はマイクロコンピュータなどの回路によって実現される。当該回路は、例えば、基台２０に実装される。以下では、制御スイッチ１が備える各構成要素の詳細について説明する。
【００５３】
［１−１．センサ］
複数のセンサ１０は、並んで配置されている。複数のセンサ１０の各々は、対象物２をセンシングするセンサである。複数のセンサ１０の個数は、３以上である。本実施の形態では、図３に示すように、制御スイッチ１が６個のセンサ１１、１２、１３、１４、１５、１６を備える例について説明する。図３は、本実施の形態に係る制御スイッチ１の複数のセンサ１１、１２、１３、１４、１５、１６に割り当てられたレベル値を示す図である。以下の説明において、センサ１１、１２、１３、１４、１５、１６を特に区別しない場合には、センサ１０として説明を行う。
【００５４】
複数のセンサ１０は、基台２０上に並んで配置されている。本実施の形態では、複数のセンサ１０は、一直線に並んで配置されている。なお、複数のセンサ１０は、直線に限らず、曲線に沿って配置されていてもよい。あるいは、複数のセンサ１０は、マトリクス状に配置されていてもよい。
【００５５】
本実施の形態では、複数のセンサ１０は、等間隔に並んで配置されている。なお、複数のセンサ１０は、等間隔に配置されていなくてもよく、例えば、その並び方向に沿って、配置間隔が漸増又は漸減していてもよい。
【００５６】
複数のセンサ１０の各々には、それぞれ１つのレベル値が割り当てられている。具体的には、複数のセンサ１０には、複数のレベル値が一対一で割り当てられている。図３において、６個のセンサ１１、１２、１３、１４、１５、１６を示す円の中に記載された数値が、各々に割り当てられたレベル値の一例を示している。
【００５７】
本実施の形態では、複数のセンサ１０には、その並び方向に沿って複数のレベル値が昇順又は降順で割り当てられている。複数のセンサ１０には、複数のレベル値が等しいレベル間隔で予め割り当てられている。レベル間隔は、隣り合う２つのセンサ１０間における、各々に割り当てられたレベル値のレベル差である。
【００５８】
図３では、明るさをレベル値として割り当てた例を示している。機器３は、明るさが「０」（すなわち、消灯）から「１００」（全点灯）の範囲で動作する。複数のセンサ１０の並び方向における一方の端部（始端）に位置するセンサ１１にはレベル値「０」が割り当てられ、他方の端部（終端）に位置するセンサ１６にはレベル値「１００」が割り当てられている。センサ１２、センサ１３、センサ１４、センサ１５にはそれぞれ、等間隔となるように、レベル値「２０」、「４０」、「６０」、「８０」が割り当てられている。
【００５９】
なお、割り当てられたレベル値は、複数のセンサ１０上又はその近傍に表示されてもよい。例えば、複数のセンサ１０の各々の近傍に、各々に割り当てられたレベル値を表示する表示部が設けられていてもよい。当該表示部は、液晶ディスプレイなどである。
【００６０】
複数のセンサ１０の各々は、対象物とセンサとの間に生じる静電容量の変化を検出する電極を含む、静電容量式の非接触センサである。センサ１０は、センシング範囲内に対象物２が入った場合に、静電容量が変化する。つまり、センサ１０は、静電容量の変化によって対象物２をセンシングする。
【００６１】
複数のセンサ１０は、各々のセンシング範囲が互いに重複しないように配置されている。例えば、複数のセンサ１０の各々のセンシング範囲は、各々の直上領域である。つまり、センシング範囲は、上面視において、図２に示すセンサ１０の円形の範囲である。なお、直上（又は上方）とは、基台２０のセンサ１０が設置された面の法線方向を意味する。センシング範囲の形状はこれに限定されず、正方形などの多角形又は楕円形などでもよい。
【００６２】
なお、複数のセンサ１０は、非接触方式で対象物２をセンシングするセンサでもよい。例えば、複数のセンサの各々は、対象物が反射又は放射する赤外線を受け取る受光部を含む赤外線センサでもよい。あるいは、複数のセンサ１０の各々は、タッチセンサなどの接触式のセンサでもよい。
【００６３】
［１−２．基台］
基台２０は、複数のセンサ１０を支持する部材である。基台２０は、例えば、板状の基板であり、主面に複数のセンサ１０が並んで配置されている。基台２０は、例えば、ガラス基板、樹脂基板などである。基台２０の形状及び大きさなどは、特に限定されない。基台２０は、可撓性を有するフレキシブル基板でもよい。このため、複数のセンサ１０は、曲面に沿って並んで配置されていてもよい。
【００６４】
基台２０には、金属などの導電性材料から形成されるパターン配線が形成されている。パターン配線は、複数のセンサ１０の各々と、取得回路３０及び制御回路５０などを実現する回路とを電気的に接続している。これにより、複数のセンサ１０の各々から対象物２のセンシング結果が取得回路３０及び制御回路５０などに送信される。
【００６５】
［１−３．取得回路］
取得回路３０は、複数のセンサ１０の並び方向に沿った対象物２の移動速度を取得する。本実施の形態では、取得回路３０は、複数のセンサ１０による対象物２のセンシング結果に基づいて移動速度を算出する。具体的には、取得回路３０は、複数のセンサ１０に含まれる第１センサが対象物２をセンシングしてから、第１センサに隣り合う第２センサが対象物２をセンシングするまでに要した時間と、第１センサから第２センサまでの距離とを用いて、移動速度を算出する。
【００６６】
図４は、本実施の形態に係る制御スイッチ１において、対象物２の移動速度の取得方法を示す図である。図４に示すように、取得回路３０は、センサ１１が対象物２をセンシングしてから、隣のセンサ１２が対象物２をセンシングするまでの時間を移動時間ｔとして取得する。取得回路３０は、取得した移動時間ｔと、センサ１１とセンサ１２との間の距離ｄとを用いて移動速度ｖを算出する。具体的には、取得回路３０は、距離ｄを移動時間ｔで除することにより、移動速度ｖ（＝ｄ／ｔ）を算出する。
【００６７】
取得回路３０は、例えば、移動速度の算出プログラムが格納された不揮発性メモリ、算出プログラムを実行するための一時的な記憶領域である揮発性メモリ、入出力ポート、算出プログラムを実行するプロセッサなどで実現される。
【００６８】
なお、取得回路３０は、センサ１０によるセンシング結果を用いずに、移動速度を算出してもよい。例えば、取得回路３０は、複数のセンサ１０とは別に設けられた速度センサ又は加速度センサなどでもよい。
【００６９】
［１−４．変更回路］
変更回路４０は、対象物２の移動速度に基づいて、複数のセンサ１０へのレベル値の割り当てを変更する。具体的には、変更回路４０は、移動速度が、例えば第１速度より遅い場合に、複数のセンサ１０のレベル間隔を小さくする。変更回路４０は、移動速度が、例えば第２速度より速い場合に、複数のセンサ１０のレベル間隔を大きくする。
【００７０】
より具体的には、変更回路４０は、移動速度が第１速度ｖ１より遅い場合に、複数のセンサ１０のレベル間隔を小さくする。変更回路４０は、移動速度が、第１速度よりも速い第２速度ｖ２より速い場合に、複数のセンサ１０のレベル間隔を大きくする。変更回路４０は、移動速度が第１速度ｖ１以上第２速度ｖ２以下の場合に、複数のセンサ１０のレベル間隔を変更しない。
【００７１】
変更回路４０は、例えば、移動速度とレベル間隔とを対応付けたテーブルを参照して、レベル値の割り当てを変更する。当該テーブルは、記憶部（図示せず）に格納されており、例えば、移動速度とレベル間隔とが正の相関関係を有するように、複数の移動速度と複数のレベル間隔とを対応付けている。変更回路４０は、取得回路３０が取得した移動速度に基づいて、テーブルを参照することでレベル間隔を決定し、隣り合う２つのセンサのレベル間隔が、決定したレベル間隔になるようにレベル値の割り当てを変更する。
【００７２】
変更回路４０は、例えば、レベル値の割当プログラム及び上記テーブルなどが格納された不揮発性メモリ、割当プログラムを実行するための一時的な記憶領域である揮発性メモリ、入出力ポート、割当プログラムを実行するプロセッサなどで実現される。
【００７３】
［１−５．制御回路］
制御回路５０は、複数のセンサ１０のうち対象物２をセンシングしたセンサに割り当てられたレベル値に応じた動作レベルで機器３を動作させる。本実施の形態では、制御回路５０は、機器３の光源４を制御する。制御回路５０と光源４とは、有線又は無線で接続されている。制御回路５０は、レベル値を示す制御信号を有線又は無線で光源４に送信することで、光源４の動作レベルである明るさを制御する。光源４は、制御回路５０から制御信号を受信した場合に、制御信号が示すレベル値に応じた動作レベルで動作する。
【００７４】
一例として、対象物２がセンサ１５のセンシング範囲内に位置し、センサ１５が対象物２をセンシングした場合を想定する。この場合、制御回路５０は、センサ１５に割り当てられたレベル値「８０」を示す制御信号を光源４に送信する。光源４は、レベル値が「８０」であることを示す制御信号を受信したとき、明るさ「８０」で点灯する。
【００７５】
制御回路５０は、例えば、機器３の制御プログラムなどが格納された不揮発性メモリ、制御プログラムを実行するための一時的な記憶領域である揮発性メモリ、入出力ポート、制御プログラムを実行するプロセッサなどで実現される。
【００７６】
［２．動作］
続いて、本実施の形態に係る制御スイッチ１の動作について、図５を用いて説明する。図５は、本実施の形態に係る制御スイッチ１の動作を示すフローチャートである。
【００７７】
まず、制御スイッチ１は、複数のセンサ１０のうち一のセンサが対象物２をセンシングするのを待機する（Ｓ１０でＮｏ）。一のセンサが対象物２をセンシングした場合（Ｓ１０でＹｅｓ）、制御回路５０は、当該センサに割り当てられたレベル値で機器３を動作させる（Ｓ１１）。
【００７８】
例えば、図４に示すように、センサ１１が対象物２をセンシングする場合を想定する。対象物２がセンサ１１に近づくことで、センサ１１の静電容量が変化する。静電容量の変化が予め定められた閾値を超えたときに、センサ１１が対象物２をセンシングしたと判定し、制御回路５０は、センサ１１に割り当てられたレベル値「０」で機器３を動作、すなわち消灯させる。
【００７９】
次に、制御回路５０は、対象物２がスライド動作を行っているか否かを判定する（Ｓ１２）。具体的には、制御回路５０は、所定の期間内に隣のセンサ１２が対象物２をセンシングするか否かを判定する。所定の期間は、例えば、１秒以下又は数秒間である。対象物２をセンサ１１がセンシングしてから隣のセンサ１２がセンシングするまでの期間が所定の期間より短い期間である場合、制御回路５０は、対象物２がスライド動作を行っていると判定する。対象物２をセンサ１１がセンシングしてから隣のセンサ１２がセンシングするまでの期間が所定の期間より長い期間である場合、又は、別のセンサ１３、１４、１５、１６のいずれかが対象物２をセンシングした場合、制御回路５０は、対象物２がスライド動作をしていないと判定する。
【００８０】
対象物２がスライド動作をしている場合（Ｓ１２でＹｅｓ）、取得回路３０は、移動速度ｖを算出する（Ｓ１３）。具体的には、取得回路３０は、対象物２をセンサ１１がセンシングしてからセンサ１２がセンシングするまでの時間である移動時間ｔで、センサ１１とセンサ１２との間の距離ｄを除することにより、移動速度ｖを算出する。
【００８１】
変更回路４０は、移動速度ｖの判定を行う（Ｓ１４）。移動速度ｖが第１速度ｖ１より遅い場合（Ｓ１４でｖ＜ｖ１）、変更回路４０は、複数のセンサ１０のレベル間隔を小さくする（Ｓ１５）。レベル間隔の変更後は、ステップＳ１１に戻り、センサ１２に割り当てられた変更後のレベル値に応じた動作レベルで機器３を動作させる。
【００８２】
移動速度ｖが第２速度ｖ２より速い場合（Ｓ１４でｖ＞ｖ２）、変更回路４０は、複数のセンサ１０のレベル間隔を大きくする（Ｓ１６）。レベル間隔の変更後は、ステップＳ１１に戻り、センサ１２に割り当てられた変更後のレベル値に応じた動作レベルで機器３を動作させる。
【００８３】
移動速度ｖが第１速度ｖ１以上第２速度ｖ２以下の場合（Ｓ１４でｖ１≦ｖ≦ｖ２）、変更回路４０は、複数のセンサ１０のレベル間隔を変更しない（Ｓ１７）。具体的には、変更回路４０は、レベル間隔を初期値から変更しない、すなわち、初期値に戻す（Ｓ１８）。あるいは、既にレベル間隔が変更済みの場合は、初期値に戻すのではなく、変更済みのレベル間隔をそのまま維持してもよい。
【００８４】
対象物２がスライド動作をしていない場合（Ｓ１２でＮｏ）、変更回路４０は、複数のセンサ１０を初期値に戻す（Ｓ１７）。その後、ステップＳ１０に戻り、制御スイッチ１は、一のセンサが対象物２をセンシングするのを待機する。
【００８５】
以下では、ステップＳ１４の移動速度ｖの判定に基づくレベル間隔の変更の具体例について、図６Ａから図６Ｃを用いて説明する。なお、以下の説明では、複数のセンサ１０には、図４に示すように等しいレベル間隔「２０」で予めレベル値が割り当てられている場合について説明する。
【００８６】
［２−１．移動速度が遅い場合］
図６Ａは、本実施の形態に係る制御スイッチ１において、対象物２の移動速度ｖが遅い場合の複数のセンサ１０に割り当てられる複数のレベル値の一例を示す図である。具体的には、図６Ａは、図４に示す割り当てから変更された後のレベル値の割り当てを示している。なお、図６Ａにおいて、６個のセンサ１１、１２、１３、１４、１５、１６を示す円の中に記載された数値が、各々に割り当てられたレベル値の一例を示している。対象物２が重なっているセンサ１２及び１４については、円のすぐ外側にレベル値を記載している。後述する図６Ｂ、図６Ｃ及び図８Ａから図８Ｄについても同様である。
【００８７】
図４と図６Ａとを比較して分かるように、移動速度ｖが第１速度ｖ１より小さい場合には、レベル間隔が「２０」から「１０」に小さく変更されている。本実施の形態では、変更回路４０は、最初に検知したセンサ１１のレベル値「０」を基準として、すなわち、変更せずに、残りのセンサ１２、１３、１４、１５、１６のレベル値を、各々のレベル間隔が「１０」になるように変更する。具体的には、図６Ａに示すように、センサ１２、１３、１４、１５、１６にはそれぞれ、レベル値「１０」、「２０」、「３０」、「４０」、「５０」が割り当てられる。レベル値の割り当てが変更された後、制御回路５０は、センサ１２に割り当てられたレベル値「１０」に応じた動作レベルで機器３を動作させる。
【００８８】
割り当ての変更後、例えば、対象物２が移動速度ｖを維持したまま、図６Ａに示すように、センサ１３、センサ１４の順にスライドすることで、機器３の動作レベルは、レベル値「２０」、「３０」の順に大きくなる。これにより、最終的には、機器３は、レベル値「３０」の大きさに応じた動作、具体的には、明るさ「３０」での点灯を行う。
【００８９】
以上のように、レベル間隔を変更する前（図４）では、複数のセンサ１０には、「０」から「１００」の範囲でレベル値が割り当てられていたのに対して、変更後（図６Ａ）では、「０」から「５０」の範囲でレベル値が割り当てられる。つまり、複数のセンサ１０によって制御可能な動作レベルの範囲が狭くなっている。
【００９０】
図４に示す変更前の割り当てでは、レベル値が「３０」に割り当てられたセンサがないため、明るさを「３０」に調整することができない。一方で、図６Ａに示す変更後の割り当てでは、センサ１４にレベル値「３０」が割り当てられているため、明るさを「３０」に調整することができる。このように、狭い範囲に属する複数のレベル値に複数のセンサ１０が割り当てられているので、動作レベルの微調整が可能となり、操作性を高めることができる。
【００９１】
なお、スライド途中、例えば、センサ１３からセンサ１４までの間で対象物２の移動速度が変化した場合には、ステップＳ１４の判定に応じて、レベル値の割り当ての変更が行われる。あるいは、１回のスライド操作においては、レベル値の割り当ての変更は１回のみ行われてもよい。すなわち、レベル値の割り当てを１回変更した後、スライド動作を続けている間、速度の算出（Ｓ１３）及び判定（Ｓ１４）を行わずに、センシング結果に基づく機器３の制御のみが行われてもよい。
【００９２】
［２−２．移動速度が速い場合］
図６Ｂは、本実施の形態に係る制御スイッチ１において、対象物２の移動速度ｖが速い場合の複数のセンサ１０に割り当てられる複数のレベル値の一例を示す図である。具体的には、図６Ｂは、図４に示す割り当てから変更された後のレベル値の割り当てを示している。
【００９３】
図４と図６Ｂとを比較して分かるように、移動速度ｖが第２速度ｖ２より大きい場合には、レベル間隔が「２０」から「３０」又は「４０」に大きく変更されている。本実施の形態では、変更回路４０は、最初に検知したセンサ１１のレベル値「０」を基準として、すなわち、変更せずに、残りのセンサ１２、１３、１４、１５、１６のレベル値を、各々のレベル間隔が「３０」又は「４０」になるように変更する。具体的には、図６Ｂに示すように、センサ１２、１３、１４にはそれぞれ、レベル値「３０」、「６０」、「１００」が割り当てられる。なお、センサ１５及びセンサ１６には、レベル値が割り当てられなくてもよく、あるいは、最大値であるレベル値「１００」が割り当てられてもよい。レベル値の割り当てが変更された後、制御回路５０は、センサ１２に割り当てられたレベル値「３０」に応じた動作レベルで機器３を動作させる。
【００９４】
割り当ての変更後、例えば、対象物２が移動速度ｖを維持したまま、図６Ｂに示すようにセンサ１３、センサ１４の順にスライドすることで、機器３の動作レベルは、レベル値「６０」、「１００」の順に大きくなる。これにより、最終的には、機器３は、レベル値「１００」の大きさに応じた動作、具体的には、全点灯を行う。
【００９５】
以上のように、レベル間隔を変更する前（図４）では、「０」から「１００」の範囲のレベル値が６つのセンサ１１、１２、１３、１４、１５、１６に割り当てられていたのに対して、変更後（図６Ｂ）では、４つのセンサ１１、１２、１３、１４に割り当てられる。つまり、所定の動作範囲のレベル値を割り当てるのに要するセンサ１０の個数が少なくなり、レベル値「０」が割り当てられたセンサ１１からレベル値「１００」が割り当てられたセンサ１４までの距離が短くなっている。
【００９６】
図４に示す変更前の割り当てでは、レベル値「１００」に調整するためには、対象物２は、センサ１１からセンサ１６までを移動しなければいけない。一方で、図６Ｂに示す変更後の割り当てでは、センサ１４にレベル値「１００」が割り当てられているため、対象物２は、センサ１１からセンサ１４までを移動すればよい。このように、対象物２の移動距離が少なくても、動作レベルを大きく変化させることができる。したがって、大きく動作レベルを変更したいときに対象物２の移動量を少なくすることができ、操作性を高めることができる。
【００９７】
［２−３．移動速度が通常の場合］
図６Ｃは、本実施の形態に係る制御スイッチ１において、対象物２の移動速度ｖが通常（ｖ１以上ｖ２以下）である場合の複数のセンサ１０に割り当てられる複数のレベル値の一例を示す図である。
【００９８】
図４と図６Ｃとを比較して分かるように、移動速度ｖが第１速度ｖ１以上第２速度ｖ２以下の場合は、レベル間隔は変更されない。このため、レベル間隔「２０」が維持された状態で、制御回路５０は、センサ１２に割り当てられたレベル値「２０」に応じた動作レベルで機器３を動作させる。
【００９９】
例えば、対象物２が移動速度ｖを維持したまま、図６Ｃに示すようにセンサ１３、センサ１４の順にスライドすることで、機器３の動作レベルは、レベル値「４０」、「６０」の順に大きくなる。これにより、最終的には、機器３は、レベル値「６０」の大きさに応じた動作、具体的には、明るさ「６０」での点灯を行う。
【０１００】
このように、通常の速度で対象物２が移動する場合には、レベル値の割り当ては変更されない。これにより、意図しないレベル値の変更が抑制されるので、操作性を高めることができる。
【０１０１】
［３．まとめ］
以上のように、本実施の形態に係る制御スイッチ１では、機器３の動作レベルを制御する制御スイッチであって、並んで配置され、対象物２をセンシングする３以上の複数のセンサ１０であって、複数のレベル値が割り当てられた複数のセンサ１０と、複数のセンサ１０の並び方向に沿った対象物２の移動速度を取得する取得回路３０と、移動速度に基づいて、複数のセンサ１０への複数のレベル値の割り当てを変更する変更回路４０と、複数のセンサ１０のうち対象物２をセンシングしたセンサに割り当てられたレベル値に応じた動作レベルで機器３を動作させる制御回路５０とを備える。
【０１０２】
これにより、複数のセンサ１０に割り当てられたレベル値が変更するので、機器３の動作レベルの制御に対する操作性を高めることができる。例えば、多くのセンサに対して、微調整が望まれる動作範囲に多くのレベル値を割り当てることで、動作レベルの制御を精度良く行うことができる。あるいは、少数のセンサに対して、所定の動作範囲に少数のレベル値を割り当てることで、少ない操作量で動作レベルを大きく変更することができる。このように、制御スイッチ１によれば、機器３の動作レベルの制御に対する操作性を高めることができる。
【０１０３】
（実施の形態２）
続いて、実施の形態２に係る制御スイッチ１について説明する。なお、本実施の形態に係る制御スイッチ１の構成は、実施の形態１に係る制御スイッチ１と同じである。以下では、本実施の形態に係る制御スイッチ１の動作を主に説明する。
【０１０４】
図７は、本実施の形態に係る制御スイッチ１の動作を示すフローチャートである。図７に示すように、実施の形態１に係る制御スイッチ１の図５に示す動作と比較して、対象物２がスライド動作を行っていないと判定された場合（Ｓ１２でＮｏ）の動作が異なっている。
【０１０５】
対象物２がスライド動作をしていない場合（Ｓ１２でＮｏ）とは、所定の期間の間に隣のセンサが対象物２をセンシングしなかった場合である。例えば、ユーザが一度、機器３の動作レベルを調整した後、しばらくしてから再び動作レベルを調整しようとする場合などが想定される。
【０１０６】
この場合、制御スイッチ１は、複数のセンサ１０のうち一のセンサが対象物２をセンシングするのを待機する（Ｓ２０でＮｏ）。一のセンサが対象物２をセンシングした場合（Ｓ２０でＹｅｓ）、変更回路４０は、当該一のセンサに割り当てられたレベル値を、機器３の現在のレベル値に変更する（Ｓ２１）。続いて、変更回路４０は、初期のレベル間隔に戻して、他のセンサにレベル値を割り当てる（Ｓ２２）。
【０１０７】
その後、ステップＳ１２に戻り、対象物２がスライド動作している場合（Ｓ１２でＹｅｓ）、実施の形態１と同様に、レベル間隔の変更を行う。
【０１０８】
以下では、図８Ａから図８Ｄを用いて、図７で示した動作の具体例について説明する。図８Ａから図８Ｄは、本実施の形態に係る制御スイッチ１において、対象物２の動きに応じて変更される複数のレベル値の一例を示す図である。
【０１０９】
ここでは、まず、図８Ａに示すように、センサ１３が対象物２をセンシングすることで、機器３は、レベル値「４０」に応じた動作、例えば、明るさ「４０」で点灯を行う。その後、複数のセンサ１０のいずれも対象物２を、所定の期間以上センシングしなかった場合（Ｓ１２でＮｏ）を想定する。この場合、機器３は、レベル値「４０」に応じた動作を所定の期間以上継続している。
【０１１０】
次に、図８Ｂに示すように、センサ１２が対象物２をセンシングしたとき（Ｓ２０でＹｅｓ）、変更回路４０は、センサ１２に機器３の動作中のレベル値「４０」を割り当てる（Ｓ２１）。さらに、変更回路４０は、センサ１２以外のセンサ１１、１３、１４、１５、１６の各々に、レベル間隔が「２０」になるようにレベル値を割り当てる（Ｓ２２）。
【０１１１】
これにより、センサ１１、センサ１３、センサ１４及びセンサ１５の各々に、レベル値「２０」、「６０」、「８０」、「１００」が割り当てられる。なお、センサ１６には、レベル値が割り当てられなくてもよく、あるいは、最大値である「１００」が割り当てられてもよい。
【０１１２】
図８Ｃに示すように、対象物２がそのままスライドした場合（Ｓ１２でＹｅｓ）、実施の形態１と同様に、移動速度ｖの判定を行う。ここでは、一例として、移動速度ｖが第１速度ｖ１より遅い場合について説明する。
【０１１３】
この場合、図８Ｄに示すように、変更回路４０は、レベル間隔を「１０」に変更する（Ｓ１５）。これにより、センサ１３にはレベル値「５０」が割り当てられるので、制御回路５０は、レベル値「５０」に応じた動作レベルで機器３を動作させる。そのまま、対象物２がセンサ１４、センサ１５の順でスライドすることで、機器３の動作レベルは、レベル値「６０」、「７０」の順に大きくなる。これにより、最終的には、機器３は、レベル値「７０」の大きさに応じた動作、具体的には、明るさ「７０」での点灯を行う。
【０１１４】
以上のように、本実施の形態に係る制御スイッチ１では、変更回路４０は、さらに、機器３が所定の動作レベルの動作を所定の期間以上継続している場合に、複数のセンサ１０のうち一のセンサが対象物２をセンシングしたとき、当該一のセンサに所定の動作レベルに応じたレベル値を割り当てる。
【０１１５】
これにより、センサが対象物２をセンシングした場合に、現状の動作レベルに応じたレベル値が当該センサに割り当てられる。このため、動作レベルが突発的に大きく変化することを抑制することができる。つまり、操作再開時に動作レベルが意図せずに変化してしまうことを抑制することができる。
【０１１６】
（変形例）
以下では、上記の実施の形態に係る制御スイッチの変形例について、図９を用いて説明する。図９は、本変形例に係る制御スイッチ１において、複数のセンサ１０が同時に対象物２をセンシングする様子を示す図である。
【０１１７】
上記の実施の形態１及び２では、複数のセンサ１０のセンシング範囲が重複しておらず、対象物２が複数のセンシング範囲に入らない場合について説明した。これに対し、図９に示すように、対象物２が複数のセンサ１０のセンシング範囲に跨って存在する場合が考えられる。
【０１１８】
本変形例では、制御回路５０は、複数のセンサ１０のうち２つのセンサが同時に対象物２をセンシングした場合、当該２つのセンサに割り当てられた２つのレベル値の平均値に応じた動作レベルで機器３を動作させる。なお、本開示において同時とは、完全に同時、又は、実質的に同時とみなせる程度に僅かな時間以内を意味する。
【０１１９】
このように、本変形例に係る制御スイッチ１では、制御回路５０は、複数のセンサ１０のうち２つのセンサが同時に対象物２をセンシングした場合、当該２つのセンサに割り当てられた２つのレベル値の平均値に応じた動作レベルで機器３を動作させる。
【０１２０】
これにより、センサの個数を抑制しつつ、より高い精度で動作レベルを調整することができる。
【０１２１】
なお、制御回路５０は、３つ以上のセンサが対象物２を同時にセンシングした場合も同様に、当該３つ以上のセンサに割り当てられた３つ以上のレベル値の平均値に応じた動作レベルで機器３を動作させてもよい。
【０１２２】
また、センサが静電容量式センサの場合、静電容量の変化が大きい程、対象物２がセンサに近いことを意味する。したがって、制御回路５０は、２つのセンサの各々の静電容量の変化の大きさに基づいて、２つのレベル値を重み付け加算した値に応じた動作レベルで機器３を動作させてもよい。
【０１２３】
例えば、センサ１２とセンサ１３とが同時に対象物２をセンシングした場合において、対象物２がセンサ１３により近いときを想定する。この場合、センサ１３の静電容量の変化量がセンサ１２の静電容量の変化量より大きくなるので、制御回路５０は、センサ１３に割り当てられたレベル値をセンサ１２に割り当てられたレベル値より大きく重み付けて加算してもよい。
【０１２４】
（他の実施の形態）
以上、１つ又は複数の態様に係る制御スイッチについて、実施の形態に基づいて説明したが、本開示は、これらの実施の形態に限定されるものではない。本開示の主旨を逸脱しない限り、当業者が思いつく各種変形を本実施の形態に施したもの、及び、異なる実施の形態における構成要素を組み合わせて構築される形態も、本開示の範囲内に含まれる。
【０１２５】
例えば、上記の実施の形態では、複数のセンサ１０には複数のレベル値が等しいレベル間隔で予め割り当てられている例について説明したが、これに限らない。複数のセンサ１０では、その並び方向に沿って、レベル間隔が漸増又は漸減していてもよい。変更後のレベル間隔についても、等しいレベル間隔でなくてもよく、例えば、複数のセンサ１０の並び方向に沿って、変更後のレベル間隔が漸増又は漸減していてもよい。また、例えば、複数のセンサ１０には複数のレベル値が昇順又は降順で割り当てられていなくてもよい。
【０１２６】
また、例えば、上記の実施の形態では、移動速度の判定に第１速度ｖ１と第２速度ｖ２とを用いたがこれに限らない。変更回路４０は、移動速度ｖが所定の速度より遅い場合にレベル間隔を小さくし、これ以外の場合には、レベル間隔を変更しなくてもよい。また、変更回路４０は、移動速度ｖが所定の速度より速い場合にレベル間隔を変更し、これ以外の場合には、レベル間隔を変更しなくてもよい。
【０１２７】
また、本開示は、制御スイッチ１として実現できるだけでなく、制御スイッチ１の各構成要素である取得回路３０、変更回路４０及び制御回路５０が行う処理をステップとして含むプログラム、及び、そのプログラムを記録したコンピュータ読み取り可能なＤＶＤ（Ｄｉｇｉｔａｌ  Ｖｅｒｓａｔｉｌｅ  Ｄｉｓｃ）などの記録媒体として実現することもできる。
【０１２８】
つまり、上述した包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【０１２９】
また、上記の各実施の形態は、特許請求の範囲又はその均等の範囲において種々の変更、置き換え、付加、省略などを行うことができる。
【産業上の利用可能性】
【０１３０】
本開示は、機器の動作レベルの制御に対する操作性が高められた制御スイッチとして利用でき、例えば、照明機器、音響機器、空調機器などの各種エレクトロニクス機器の動作レベルを制御するスイッチなどに利用することができる。
【符号の説明】
【０１３１】
１  制御スイッチ
２  対象物
３  機器
４  光源
５  支持部
１０、１１、１２、１３、１４、１５、１６  センサ
２０  基台
３０  取得回路
４０  変更回路
５０  制御回路
【図１】
2017135103.tif 000003
【図２】
2017135103.tif 000004
【図３】
2017135103.tif 000005
【図４】
2017135103.tif 000006
【図５】
2017135103.tif 000007
【図６Ａ】
2017135103.tif 000008
【図６Ｂ】
2017135103.tif 000009
【図６Ｃ】
2017135103.tif 000010
【図７】
2017135103.tif 000011
【図８Ａ】
2017135103.tif 000012
【図８Ｂ】
2017135103.tif 000013
【図８Ｃ】
2017135103.tif 000014
【図８Ｄ】
2017135103.tif 000015
【図９】
2017135103.tif 000016